(57)【要約】  本発明は、コントロールチャンネル要素インデックス機構に関する方法、装置及びコンピュータプログラム製品を提供する。本発明は、データチャンネルに関連した構成可能な第１のコントロールチャンネルをダウンリンクにおいて搬送するチャンネルリソース要素の第１の区画化に関連した第１区画要素に関する情報を得；第１区画要素当たりのチャンネルリソース要素の第２の区画化に関連した第２区画要素の数を決定し；第１区画要素に関する情報及びその決定された数に基づいて第２区画要素インデックスを少なくとも１つの第２区画要素に対して決定し；チャンネルリソース要素の第３の区画化に関連した少なくとも１つの第３区画要素に対して第３区画要素インデックスを決定する；ことを含み、第２の区画化は、第１のコントロールチャンネルのチャンネルリソースの割り当てに関連し、そして第３の区画化は、第２のコントロールチャンネルのチャンネルリソースの割り当てに関連している。【選択図】      図７
2015530014.tif 000002
【特許請求の範囲】
【請求項１】
データチャンネルに関連した構成可能な第１のコントロールチャンネルをダウンリンクにおいて搬送するチャンネルリソース要素の第１の区画化に関連した第１区画要素に関する情報を得；
第１区画要素当たりのチャンネルリソース要素の第２の区画化に関連した第２区画要素の数を決定し；
前記第１区画要素に関する情報及び前記決定された数に基づいて第２区画要素インデックスを少なくとも１つの第２区画要素に対して決定し；
チャンネルリソース要素の第３の区画化に関連した少なくとも１つの第３区画要素に対して第３区画要素インデックスを決定する；
ことを含み、前記第２の区画化は、前記第１のコントロールチャンネルのチャンネルリソースの割り当てに関連し、そして
前記第３の区画化は、第２のコントロールチャンネルのチャンネルリソースの割り当てに関連する、方法。
【請求項２】
前記データチャンネルを経て送信されたデータパケットを受け取り；及び
前記データパケットの受け取りが成功であったか不成功であったかに関して第２のコントロールチャンネルを経てアップリンク方向にフィードバック情報を与える；
ことを更に含む、請求項１に記載の方法。
【請求項３】
前記第１の区画化は、データチャンネルのチャンネルリソースの割り当てに関連付けられる、請求項１又は２に記載の方法。
【請求項４】
前記第２区画要素インデックス及び第１区画要素に関する情報の少なくとも１つは、セルにおいて独特である、請求項１から３のいずれかに記載の方法。
【請求項５】
前記第２区画要素インデックス及び第１区画要素に関する情報の少なくとも１つは、ユーザ装置ごとに独特である、請求項１から３のいずれかに記載の方法。
【請求項６】
各々の第２区画要素インデックスは、１つ以上の第３区画要素インデックスへマップされる、請求項１から５のいずれかに記載の方法。
【請求項７】
前記第２の区画要素の数の前記決定は、サブフレームタイプからその数を導出することを含む、請求項１から６のいずれかに記載の方法。
【請求項８】
前記第２区画要素インデックスは、インデックスの連続セットを形成するように決定される、請求項１から７のいずれかに記載の方法。
【請求項９】
前記第２区画要素インデックスは、最低のインデックスをもつ第１の区画要素において第２の区画要素からスタートして決定される、請求項１から８のいずれかに記載の方法。
【請求項１０】
前記第２区画要素インデックスは、最高のインデックスをもつ第１の区画要素において第２の区画要素からスタートして決定される、請求項１から８のいずれかに記載の方法。
【請求項１１】
少なくとも１つの第３区画要素インデックスの前記決定は、最低の第２区画要素インデックスからスタートして第２区画要素インデックスと第３区画要素インデックスとの間に１対１のマッピングを含む、請求項１から１０のいずれかに記載の方法。
【請求項１２】
少なくとも１つの第３区画要素インデックスの前記決定は、第２区画要素インデックスと第３区画要素インデックスとの間に多対１のマッピングを含む、請求項１から１０のいずれかに記載の方法。
【請求項１３】
衝突回避メカニズムを更に含む、請求項１２に記載の方法。
【請求項１４】
前記衝突回避メカニズムは、暗示的アップリンクチャンネルリソース割り当てを変更する特定のフィールドを含ませることを含む、請求項１３に記載の方法。
【請求項１５】
前記衝突回避メカニズムは、第１のコントロールチャンネルに使用される少なくとも１つの第２区画要素を選択することを含む第１コントロールチャンネルスケジューリングを含む、請求項１３に記載の方法。
【請求項１６】
前記多対１マッピングは、１つの第１区画要素に含まれた第２区画要素に対して第２区画要素インデックスと第３区画要素インデックスとの間に１対１マッピングを含む、請求項１２に記載の方法。
【請求項１７】
前記方法は、ユーザ装置により実行され、前記第１の区画要素に関する情報を得ることは、ベースステーションから情報を受け取ることを含む、請求項１から１６のいずれかに記載の方法。
【請求項１８】
ベースステーションから第１の第２区画要素インデックスを指示するオフセットパラメータを受け取ることを更に含む、請求項１７に記載の方法。
【請求項１９】
前記情報は、システム情報に含まれ、そして放送を経て受け取られる、請求項１７に記載の方法。
【請求項２０】
前記情報は、放送チャンネル又はエンハンスト放送チャンネルを経て受け取られる、請求項１７に記載の方法。
【請求項２１】
前記情報は、マスター情報ブロック又はシステム情報ブロックに含まれる、請求項２０に記載の方法。
【請求項２２】
前記情報は、専用の上位層無線リソースコントロールシグナリングを経て受け取られる、請求項１７に記載の方法。
【請求項２３】
前記方法は、ベースステーションにより実行される、請求項１から１６のいずれかに記載の方法。
【請求項２４】
第１の第２区画要素インデックスを指示するオフセットパラメータを定義することを更に含む、請求項２３に記載の方法。
【請求項２５】
前記オフセットパラメータをユーザ装置へ送信することを更に含む、請求項２４に記載の方法。
【請求項２６】
少なくとも別の装置と通信するように構成された受信器／送信器と；
コンピュータプログラムコードを記憶するように構成されたメモリと；
プロセッサであって、
データチャンネルに関連した構成可能な第１コントロールチャンネルをダウンリンクにおいて搬送するチャンネルリソース要素の第１の区画化に関連した第１区画要素に関する情報を得；
第１区画要素当たりのチャンネルリソース要素の第２の区画化に関連した第２区画要素の数を決定し；
前記第１区画要素に関する情報及び前記決定された数に基づいて第２区画要素インデックスを少なくとも１つの第２区画要素に対して決定し；
チャンネルリソース要素の第３の区画化に関連した少なくとも１つの第３区画要素に対して第３区画要素インデックスを決定する；
ことを装置に遂行させるように構成されたプロセッサと；
を備え、前記第２の区画化は、第１のコントロールチャンネルのチャンネルリソースの割り当てに関連し、そして
前記第３の区画化は、第２のコントロールチャンネルのチャンネルリソースの割り当てに関連する、装置。
【請求項２７】
前記プロセッサは、更に、
前記データチャンネルを経て送信されたデータパケットを受け取り；及び
前記データパケットの受け取りが成功であったか不成功であったかに関して第２のコントロールチャンネルを経てアップリンク方向にフィードバック情報を与える；
ことを装置に遂行させるように構成された、請求項２６に記載の装置。
【請求項２８】
前記第１の区画化は、データチャンネルのチャンネルリソースの割り当てに関連付けられる、請求項２６又は２７に記載の装置。
【請求項２９】
前記第２区画要素インデックス及び第１区画要素に関する情報の少なくとも１つは、セルにおいて独特である、請求項２６から２８のいずれかに記載の装置。
【請求項３０】
前記第２区画要素インデックス及び第１区画要素に関する情報の少なくとも１つは、ユーザ装置ごとに独特である、請求項２６から２９のいずれかに記載の装置。
【請求項３１】
各々の第２区画要素インデックスは、１つ以上の第３区画要素インデックスへマップされる、請求項２６から３０のいずれかに記載の装置。
【請求項３２】
前記第２区画要素の数の前記決定は、サブフレームタイプからその数を導出することを含む、請求項２６から３１のいずれかに記載の装置。
【請求項３３】
前記第２区画要素インデックスは、インデックスの連続セットを形成するように決定される、請求項２６から３２のいずれかに記載の装置。
【請求項３４】
前記第２区画要素インデックスは、最低のインデックスをもつ第１区画要素において第２区画要素からスタートして決定される、請求項２６から３３のいずれかに記載の装置。
【請求項３５】
前記第２区画要素インデックスは、最高のインデックスをもつ第１区画要素において第２区画要素からスタートして決定される、請求項２６から３３のいずれかに記載の装置。
【請求項３６】
少なくとも１つの第３区画要素インデックスの前記決定は、最低の第２区画要素インデックスからスタートして第２区画要素インデックスと第３区画要素インデックスとの間に１対１のマッピングを含む、請求項２６から３５のいずれかに記載の装置。
【請求項３７】
少なくとも１つの第３区画要素インデックスの前記決定は、第２区画要素インデックスと第３区画要素インデックスとの間に多対１のマッピングを含む、請求項２６から３５のいずれかに記載の装置。
【請求項３８】
衝突回避メカニズムを更に備えた、請求項３７に記載の装置。
【請求項３９】
前記衝突回避メカニズムは、暗示的アップリンクチャンネルリソース割り当てを変更する特定のフィールドを含ませることを含む、請求項３８に記載の装置。
【請求項４０】
前記衝突回避メカニズムは、第１のコントロールチャンネルに使用される少なくとも１つの第２区画要素を選択することを含む第１コントロールチャンネルスケジューリングを含む、請求項３８に記載の装置。
【請求項４１】
前記多対１マッピングは、１つの第１区画要素に含まれた第２区画要素に対して第２区画要素インデックスと第３区画要素インデックスとの間に１対１マッピングを含む、請求項３７に記載の装置。
【請求項４２】
前記装置は、ユーザ装置であり、前記第１の区画要素に関する情報を得ることは、ベースステーションから情報を受け取ることを含む、請求項２６から４１のいずれかに記載の装置。
【請求項４３】
前記プロセッサは、更に、ベースステーションから第１の第２区画要素インデックスを指示するオフセットパラメータを受け取ることを装置に遂行させるよう構成された、請求項４２に記載の装置。
【請求項４４】
前記情報は、システム情報に含まれ、そして放送を経て受け取られる、請求項４３に記載の装置。
【請求項４５】
前記情報は、放送チャンネル又はエンハンスト放送チャンネルを経て受け取られる、請求項４３に記載の装置。
【請求項４６】
前記情報は、マスター情報ブロック又はシステム情報ブロックに含まれる、請求項４５に記載の装置。
【請求項４７】
前記情報は、専用の上位層無線リソースコントロールシグナリングを経て受け取られる、請求項４６に記載の装置。
【請求項４８】
前記装置はベースステーションである、請求項２６から４１のいずれかに記載の装置。
【請求項４９】
前記プロセッサは、更に、第１の第２区画要素インデックスを指示するオフセットパラメータを定義することを装置に遂行させるように構成された、請求項４８に記載の装置。
【請求項５０】
前記プロセッサは、更に、前記オフセットパラメータをユーザ装置へ送信することを装置に遂行させるように構成された、請求項４９に記載の装置。
【請求項５１】
処理装置でプログラムが実行されるときに請求項１−２５のいずれかに記載のステップを遂行するためのソフトウェアコード部分より成る処理装置のプログラムを含むコンピュータプログラム製品。
【請求項５２】
前記コンピュータプログラム製品は、前記ソフトウェアコード部分が記憶されたコンピュータ読み取り可能な媒体を含む、請求項５１に記載のコンピュータプログラム製品。
【請求項５３】
前記プログラムは、処理装置の内部メモリに直接ロードできる、請求項５１に記載のコンピュータプログラム製品。
【発明の詳細な説明】
【技術分野】
【０００１】
本発明は、コントロールチャンネル要素インデックス機構に関する。特に、本発明は、おそらくはＬＴＥ  Ｒｅｌ．１１のパートであるＬＴＥアドバンストシステムに関する。より詳細には、本発明は、暗示的ＨＡＲＱ−ＡＣＫリソース割り当てをサポートするためのｅＰＤＣＣＨ  ｅＣＣＥインデクシングに関する。即ち、本発明は、エンハンストＰＤＣＣＨ（物理的ダウンロードチャンネル）が占有される場合のアップリンク（ＵＬ）における物理的アップリンクコントロールチャンネル（ＰＵＣＣＨ）リソース割り当てに焦点を当てる。
【背景技術】
【０００２】
エンハンストＰＤＣＣＨ（ｅＰＤＣＣＨ）とは、ＬＴＥワークアイテムのエンハンストダウンリンクコントロールチャンネルにおいて３ＧＰＰで現在標準化されているＲｅｌ−１１特徴である。ｅＰＤＣＣＨの背後にある主たる動機は、ＣｏＭＰ（整合マルチポイント送信／受信）、ＤＬ  ＭＩＭＯ（ダウンリンク多入力多出力）、異種ネットワーク及びキャリアアグリゲーション（拡張キャリアを含む）のような新規のＲｅｌ−１０／１１の場合にコントロールチャンネル性能（特に、容量及びカバレージ）を改善することである。ＰＤＳＣＨ（これはｅＰＤＣＣＨに対して主として使用される）のダウンリンクデータをスケジュールするためにｅＰＤＣＣＨが使用される場合には、受け取ったＰＤＳＣＨに対する応答としてＰＵＣＣＨに送信されるＨＡＲＱ−ＡＣＫのためにアップリンクコントロールチャンネルリソースを与える必要がある。最近の３ＧＰＰ  ＲＡＮ  ＷＧ１ミーティング＃６９及び＃６９ｂｉｓでは、この話題に注目が集まっている。
【０００３】
これらのミーティングの最新の合意は、ｅＰＤＣＣＨスケジュールのＰＤＳＣＨに応答してＨＡＲＱ−ＡＣＫ送信するためのＰＵＣＣＨフォーマット１ａ／１ｂリソースが少なくとも一部分暗示的に決定される、ということである。それ故、どのリソースインデックスを使用すべきかについて更に検討しなければならない。更に、ｅＰＤＣＣＨ及びＰＤＣＣＨに対応するＰＵＣＣＨフォーマット１ａ／１ｂリソースの衝突を回避するための仕様サポートが提供されることも合意された。しかしながら、そのような衝突回避をどのように与えるかについても検討しなければならない。
【０００４】
ＬＴＥ  Ｒｅｌ−８では、暗示的ＰＵＣＣＨリソース決定は、スケジューリングＣＣＥの最低インデックスに基づく。ｅＰＤＣＣＨでは、ＣＣＥ概念が、いわゆるｅＣＣＥ（エンハンストコントロールチャンネル要素）に置き換えられる。本発明は、ＨＡＲＱ−ＡＣＫの暗示的リソース割り当てをサポートするのに必要なｅＯＤＣＣＨ  ｅＣＣＥのためのインデクシング機構を提供する。
【０００５】
ＬＴＥリリース８以降の、動的にスケジュールされたＰＤＳＣＨ  ＡＣＫ／ＮＡＣＫのためのＰＵＣＣＨリソースは、暗示的マッピングに基づくものである。具体的に言うと、ＰＤＳＣＨをスケジューリングする最下位のＰＤＣＣＨコントロールチャンネル要素（ＣＣＥ）のインデックスは、ＡＣＫ／ＮＡＣＫシグナリングに使用されるＰＵＣＣＨリソースのインデックスを直接的に決定し、即ちＣＣＥとＰＵＣＣＨのリソースインデックスの間には１対１のマッピングが存在する。この基本的な原理の一例が図１に示されている。
【０００６】
暗示的リソース割り当ては、専用のＰＵＣＣＨリソースをＵＥごとに予約する必要がないのでＵＬオーバーヘッドが最小であるという利点がある。基本的な原理は、ｅＰＤＣＣＨでも非常に魅力的である。ｅＰＤＣＣＨを導入する主たる動機の１つは、コントロールチャンネル容量が高いことであるから、スケジュールされるユーザの数が増加することが予想され、ＰＵＣＣＨの効率的な使用がより重要になる。
【０００７】
上述したように、３ＧＰＰの最新の合意は、ＰＵＣＣＨにおけるＤＬ  ＨＡＲＱ−ＡＣＫリソース割り当てがｅＰＤＣＣＨの場合にも少なくとも一部分暗示的に行われることの確認である。
【０００８】
ｅＰＤＣＣＨの構造に関しては、少なくともローカルでの割り当ての場合に、ＰＲＢには典型的に４つの（ある特定のケースでは潜在的に２つ又は３つの）ｅＣＣＥがあることが合意されている。その結果、考えられるｅＣＣＥの位置が潜在的に非常に多数となり、ｅＣＣＥのインデックスとＰＵＣＣＨリソースのインデックスとの間の１対１マッピングを仮定すれば、ＵＬシグナリングのオーバーヘッドが著しく大きくなる。それ故、より効率的なｅＣＣＥインデックス機構を開発する必要性があることが明らかである。
【発明の概要】
【発明が解決しようとする課題】
【０００９】
上述したように、ＬＴＥリリース８における暗示的なＡＣＫ／ＮＡＣＫリソース割り当ては、ＣＣＥインデクシングに基づくものである。しかしながら、そのようなインデクシング機構は、現在のところ、ｅＰＤＣＣＨについては存在しない。
【００１０】
ＬＴＥ  Ｒｅｌ−８では、ＰＤＣＣＨリソースがＣＣＥに分割され、次いで、それらが単純に番号付けされる。しかしながら、そのような解決策は、ｅＰＤＣＣＨの場合には、魅力的なものではない。というのは、ｅＰＤＣＣＨの性質上、リソースの数、ひいては、ＵＬのオーバーヘッドが、過剰に大きくなり勝ちだからである。これは、ｅＰＤＣＣＨをサポートするためのＲｅｌ−８解決策の単純な拡張を表わす図２に示されている。
【課題を解決するための手段】
【００１１】
本発明によれば、コントロールチャンネル要素インデックス機構のための方法、装置、及びプログラムが提供される。
【００１２】
本発明の１つの態様によれば、
データチャンネルに関連した構成可能な第１コントロールチャンネルをダウンリンクにおいて搬送するチャンネルリソース要素の第１の区画化に関連した第１の区画要素に関する情報を得；
第１の区画要素当たりのチャンネルリソース要素の第２の区画化に関連した第２の区画要素の数を決定し；
第１の区画要素に関する情報及び決定された数に基づいて第２区画要素インデックスを少なくとも１つの第２の区画要素に対して決定し；
チャンネルリソース要素の第３の区画化に関連した少なくとも１つの第３の区画要素に対して第３区画要素インデックスを決定する；
ことを含み、第２の区画化は、第１のコントロールチャンネルのチャンネルリソースの割り当てに関連し、そして
第３の区画化は、第２のコントロールチャンネルのチャンネルリソースの割り当てに関連する、方法が提供される。
【００１３】
前記観点のもとで定義された本発明の更に別の改善によれば、前記方法は、
データチャンネルを経て送信されたデータパケットを受け取り；
データパケットの受け取りが成功であったか不成功であったかに関して第２のコントロールチャンネルを経てアップリンク方向にフィードバック情報を与える；
ことを含み、
第１の区画化は、データチャンネルのチャンネルリソースの割り当てに関連し；
第２区画要素インデックス及び第１区画要素に関する情報の少なくとも１つは、セルにおいて独特であり；
第２区画要素インデックス及び第１区画要素に関する情報の少なくとも１つは、ユーザ装置ごとに独特であり；
各々の第２区画要素インデックスは、１つ以上の第３区画要素インデックスへマップされ；
第２の区画要素の数の前記決定は、サブフレームタイプからその数を導出することを含み；
第２区画要素インデックスは、インデックスの連続セットを形成するように決定され；
第２区画要素インデックスは、最低のインデックスをもつ第１の区画要素において第２の区画要素からスタートして決定され；
第２区画要素インデックスは、最高のインデックスをもつ第１の区画要素において第２の区画要素からスタートして決定され；
少なくとも１つの第３区画要素インデックスの前記決定は、最低の第２区画要素インデックスからスタートして第２区画要素インデックスと第３区画要素インデックスとの間に１対１のマッピングを含み；
少なくとも１つの第３区画要素インデックスの前記決定は、第２区画要素インデックスと第３区画要素インデックスとの間に多対１のマッピングを含み；
前記方法は、更に、衝突回避メカニズムを含み；
衝突回避メカニズムは、暗示的アップリンクチャンネルリソース割り当てを変更する特定のフィールドを含ませることを含み；
衝突回避メカニズムは、第１のコントロールチャンネルに使用される少なくとも１つの第２区画要素を選択することを含む第１コントロールチャンネルスケジューリングを含み；
多対１マッピングは、１つの第１区画要素に含まれた第２区画要素に対して第２区画要素インデックスと第３区画要素インデックスとの間に１対１マッピングを含み；
前記方法は、ユーザ装置により実行され、第１の区画要素に関する情報を得ることは、ベースステーションから情報を受け取ることを含み；
前記方法は、更に、ベースステーションから第１の第２区画要素インデックスを指示するオフセットパラメータを受け取ることを含み；
情報は、システム情報に含まれ、そして放送を経て受け取られ；
情報は、放送チャンネル又はエンハンスト放送チャンネルを経て受け取られ；
情報は、マスター情報ブロック又はシステム情報ブロックに含まれ；
情報は、専用の上位層無線リソースコントロールシグナリングを経て受け取られ；
前記方法は、ベースステーションにより実行され；
前記方法は、更に、
第１の第２区画要素インデックスを指示するオフセットパラメータを定義し；
オフセットパラメータをユーザ装置へ送信する；
ことを含む。
【００１４】
本発明の別の態様によれば、
少なくとも別の装置と通信するように構成された受信器／送信器と；
コンピュータプログラムコードを記憶するように構成されたメモリと；
プロセッサであって、
データチャンネルに関連した構成可能な第１コントロールチャンネルをダウンリンクにおいて搬送するチャンネルリソース要素の第１の区画化に関連した第１の区画要素に関する情報を得；
第１の区画要素当たりのチャンネルリソース要素の第２の区画化に関連した第２の区画要素の数を決定し；
第１の区画要素に関する情報及び決定された数に基づいて第２区画要素インデックスを少なくとも１つの第２の区画要素に対して決定し；
チャンネルリソース要素の第３の区画化に関連した少なくとも１つの第３の区画要素に対して第３区画要素インデックスを決定する；
ことを装置に遂行させるように構成されたプロセッサと；
を備え、第２の区画化は、第１のコントロールチャンネルのチャンネルリソースの割り当てに関連し、そして
第３の区画化は、第２のコントロールチャンネルのチャンネルリソースの割り当てに関連する、装置が提供される。
【００１５】
前記観点のもとで定義された本発明の更に別の改善によれば、
プロセッサは、更に、
データチャンネルを経て送信されたデータパケットを受け取り；及び
データパケットの受け取りが成功であったか不成功であったかに関して第２のコントロールチャンネルを経てアップリンク方向にフィードバック情報を与える；
ことを装置に遂行させるように構成され；
第１の区画化は、データチャンネルのチャンネルリソースの割り当てに関連し；
第２区画要素インデックス及び第１区画要素に関する情報の少なくとも１つは、セルにおいて独特であり；
第２区画要素インデックス及び第１区画要素に関する情報の少なくとも１つは、ユーザ装置ごとに独特であり；
各々の第２区画要素インデックスは、１つ以上の第３区画要素インデックスへマップされ；
第２の区画要素の数の前記決定は、サブフレームタイプからその数を導出することを含み；
第２区画要素インデックスは、インデックスの連続セットを形成するように決定され；
第２区画要素インデックスは、最低のインデックスをもつ第１の区画要素において第２の区画要素からスタートして決定され；
第２区画要素インデックスは、最高のインデックスをもつ第１の区画要素において第２の区画要素からスタートして決定され；
少なくとも１つの第３区画要素インデックスの前記決定は、最低の第２区画要素インデックスからスタートして第２区画要素インデックスと第３区画要素インデックスとの間に１対１のマッピングを含み；
少なくとも１つの第３区画要素インデックスの前記決定は、第２区画要素インデックスと第３区画要素インデックスとの間に多対１のマッピングを含み；
前記装置は、更に、衝突回避メカニズムを備え；
その衝突回避メカニズムは、暗示的アップリンクチャンネルリソース割り当てを変更する特定のフィールドを含ませることを含み；
衝突回避メカニズムは、第１のコントロールチャンネルに使用される少なくとも１つの第２区画要素を選択することを含む第１コントロールチャンネルスケジューリングを含むものであり；
多対１マッピングは、１つの第１区画要素に含まれた第２区画要素に対して第２区画要素インデックスと第３区画要素インデックスとの間に１対１マッピングを含み；
前記装置は、ユーザ装置であり、第１の区画要素に関する情報を得ることは、ベースステーションから情報を受け取ることを含み；
前記プロセッサは、更に、
ベースステーションから第１の第２区画要素インデックスを指示するオフセットパラメータを受け取ることを装置に遂行させるように構成され；
情報は、システム情報に含まれ、そして放送を経て受け取られ；
情報は、放送チャンネル又はエンハンスト放送チャンネルを経て受け取られ；
情報は、マスター情報ブロック又はシステム情報ブロックに含まれ；
情報は、専用の上位層無線リソースコントロールシグナリングを経て受け取られ；
前記装置は、ベースステーションであり；
前記プロセッサは、更に、
第１の第２区画要素インデックスを指示するオフセットパラメータを定義する；
ことを装置に遂行させるよう構成され；
前記プロセッサは、更に、
オフセットパラメータをユーザ装置へ送信する；
ことを装置に遂行させるように構成される。
【００１６】
本発明の別の態様によれば、コンピュータのメモリにロードされたとき前記いずれかの方法のステップを形成するためのコード手段より成るコンピュータプログラム製品が提供される。
【００１７】
本発明の更に別の態様によれば、ソフトウェアコード部分が記憶されるコンピュータ読み取り可能な媒体を備えた前記コンピュータプログラム製品が提供される。
【００１８】
本発明の更に別の態様によれば、処理装置の内部メモリにプログラムを直接ロードできる前記コンピュータプログラム製品が提供される。
【００１９】
これら及び他の目的、特徴、細部及び効果は、添付図面を参照した本発明の実施形態の以下の詳細な説明から充分に明らかとなろう。
【図面の簡単な説明】
【００２０】
【図１】ＬＴＥ  Ｒｅｌ８においてＰＵＣＣＨ上で暗示的なＡＣＫ／ＮＡＣＫリソース割り当てを行う原理を示す図である。
【図２】５０個のＰＲＢ及びＰＲＢ当たり４つのｅＣＣＥを仮定した規範的なｅＣＣＥインデックスを示す図である。
【図３】本発明の第１の実施形態によるセル特有のｅＣＣＥインデックスの原理を示す図である。
【図４】本発明の第１の実施形態によるｅＣＣＥインデックスとＰＵＣＣＨインデックスとの間の多対１のマッピングの一例を示す図である。
【図５】本発明の第２の実施形態によるＵＥ特有のｅＣＣＥインデックスの原理を示す図である。
【図６】本発明の第２の実施形態による分散型のｅＰＤＣＣＨの場合のインデックスの一例を示す図である。
【図７】本発明のある実施形態による方法を示すフローチャートである。
【図８】本発明のある実施形態による別の方法を示すフローチャートである。
【図９】本発明のある実施形態による装置の一例を示すブロック図である。
【発明を実施するための形態】
【００２１】
以下、本発明の実施形態は、一般的な例及び特定の例を参照して説明され、それら実施形態の特徴は、特に指示のない限り、互いに自由に組み合わせることができる。しかしながら、この説明は、例示に過ぎず、そしてここに述べる実施形態は、本発明をそれに限定するものではないことを理解されたい。
【００２２】
本発明の目的は、リソース効率が良く、シグナリング効率が良く且つ柔軟性のある暗示的なＨＡＲＱ−ＡＣＫリソース割り当てのためのサポートを与えるｅＣＣＥインデックス機構を開発することである。
【００２３】
本発明は、具体的に、ｅＰＤＣＣＨを経てスケジュールされたＰＤＳＣＨデータパケットのための暗示的ＨＡＲＱ−ＡＣＫリソース割り当てを可能にするｅＣＣＥインデックス定義及び関連シグナリングを提供する。
【００２４】
基本的に、ここに提案するインデックス機構は、次のステップを含む。
●どのＰＲＢがｅＰＤＣＣＨを搬送するかに関するセル情報において少なくとも１つのＵＥへシグナリングする。
●既定のルール及び／又は定義されたシグナリングに従って割り当てられるＰＲＢ当たりのｅＣＣＥの数を指定する。
●既定のルール及び受信したシグナリングに従って少なくとも１つのｅＣＣＥインデックスを決定する。
●既定のルール及び受信したシグナリングに従ってｅＣＣＥインデックスに基づき少なくとも１つのＰＵＣＣＨインデックスを決定する。
【００２５】
アップリンク無線リンクの両端に同様の方法ステップが必要となる。換言すれば、ＵＥ及びｅＮＢは、両方とも、望ましいリソースにおいてＨＡＲＱ−ＡＣＫを送信及び受信するためにインデックス機構を同様に実施する。
【００２６】
ここで考える発明に対して２つの代替的な実施形態、即ち「セル特有のｅＣＣＥインデクシング」及び「ＵＥ特有のｅＣＣＥインデクシング」について以下に説明する。
【００２７】
第１の実施形態
本発明の第１の実施形態によるセル特有のｅＣＣＥインデクシングについて以下に説明する。
【００２８】
この第１の実施形態によれば、ｅＣＣＥインデクシングは、セルにおいて行われるか、又はより一般的には、送信ポイント（ＴＰ）レベルにおいて行われると仮定する。セル／ＴＰにおける各ｅＰＤＣＣＨケーパブルＵＥは、ｅＣＣＥシグナリングについて同じ理解を有する。
【００２９】
図３は、セル特有のｅＣＣＥインデクシングの原理を示す。セルにおける全てのｅＰＤＣＣＨケーパブルＵＥは、セルにおける全てのＵＥの考えられるｅＣＣＥ割り当てを知っている。
【００３０】
インデクシングの特徴は、次の通りである。
【００３１】
第１に、ｅＮｏｄｅＢは、セルの全ての（ｅＰＤＣＣＨケーパブル）ＵＥに、少なくとも幾つかのＵＥのｅＰＤＣＣＨをどのＰＲＢが搬送するかについての情報をシグナリングする。そのようなシグナリングは、異なる仕方で行うことができる。考えられるシグナリングの幾つかの例を以下に述べるが、本発明は、それに限定されない。
【００３２】
例えば、シグナリングは、システム情報に含まれ、そして、例えば、ＰＢＣＨ（即ち、ＭＩＢに含まれる）、ｅＰＢＣＨ（エンハンストＰＢＣＨ）又はあるＳＩＢを使用して、セルの全てのＵＥへ放送される。
【００３３】
更に、シグナリングは、考えられるｅＰＤＣＣＨ  ＰＲＢを指示するビットマップを含む。
【００３４】
或いは又、シグナリングは、例えば、第１のｅＰＤＣＣＨ  ＰＲＢ又はＰＲＢのグループのインデックス、及び次のｅＰＤＣＣＨ  ＰＲＢ又はＰＲＢのグループへの相対的オフセットを含んでもよい。
【００３５】
更に、シグナリングは、ＰＤＳＣＨ／ｅＰＤＣＣＨに対して定義され且つＤＣＩ（例えば、分散型割り当て）を使用してシグナリングされる既存のリソース割り当てシグナリング機構の原理にも基づく。
【００３６】
次いで、ＵＥは、既定のルール及び／又は利用可能なシグナリングに従って割り当てられるＰＲＢ当たりのｅＣＣＥの数Ｎを決定する。
【００３７】
例えば、この数は、規格により定義される（例えば、４にセットされる）。これは、例えば、図３に仮定されている。
【００３８】
或いは又、ｅＣＣＥ／ＰＲＢの数は、他の既知のパラメータ、例えば、サブフレームタイプ（ＤｗＰＴＳ、ＤＬサブフレーム、ある基準信号割り当てを伴うＤＬサブフレーム、ＰＣＦＩＣＨのための値を伴うＤＬサブフレーム）から導出される。
【００３９】
更に、この数は、明確に構成される。又、ｅＣＣＥ／ＰＲＢの数は、局所型及び分散型割り当てに対して異なってもよい。おそらく、分散型割り当てでは、ＰＲＢにおけるｅＣＣＥの数は、大きなものとなる。
【００４０】
シグナリングされたあり得るｅＰＤＣＣＨ  ＰＲＢインデックス、割り当てられるＰＲＢ当たりのｅＣＣＥの数Ｎ、及びある所定の原理に基づいて、ＵＥは、セル内のｅＣＣＥスペースをどのようにインデックスするか知っている。
【００４１】
インデクシングは、連続的であり、そしてインデクシングは、最低又は最高のＰＲＢインデックスをもつＰＲＢにおいてｅＣＣＥからスタートする。異なるＰＲＢにおけるｅＣＣＥのインデクシングは、異なる仕方で行われ、例えば、ｅＣＣＥ先行（図３に示すように）又はＰＲＢ先行で行われる。
【００４２】
更に、ｅＮｏｄｅＢは、第１のｅＰＤＣＣＨ  ｅＣＣＥのインデックスを示すオフセットパラメータもＵＥにシグナリングする。そのようなオフセットが図３に“ｋ”と示されている。このパラメータは、ｅＰＤＣＣＨ及びＰＤＣＣＨを経て暗示的に割り当てられるＰＵＣＣＨリソース間の重畳をコントロールできるようにする。パラメータ“ｋ”は、ＵＥ特有であるか又はセル特有である。
【００４３】
ｅＰＤＣＣＨ  ｅＣＣＥインデックスは、ＰＵＣＣＨフォーマット１ａ／１ｂリソースインデックス
2015530014.tif 000003
へマップされる。
【００４４】
そのようなマッピングは、例えば、レガシーＰＤＣＣＨ  ＣＣＥ対ＰＵＣＣＨマッピングの場合のように、所与のｅＰＤＣＣＨの最低ｅＣＣＥインデックスからＰＵＣＣＨリソースインデックスへの１対１マッピングである。最終的なＰＵＣＣＨリソースは、ＰＵＣＣＨリソースインデックス及び放送ＰＵＣＣＨパラメータに基づいて得られる。
【００４５】
或いは又、ｅＣＣＥインデックス対ＰＵＣＣＨインデックスマッピングは、多対１のマッピングである。これは、使用するＰＵＣＣＨリソースに対して更なる圧縮を与える。これは、ｅＣＣＥごとに専用のＰＵＣＣＨリソースをもつ必要がないために有益であり、即ち幾つかのｅＣＣＥがＵＬグラントに対して消費され、幾つかのＵＬ又はＤＬグラントが複数のｅＣＣＥを消費し、そしてあるＨＡＲＱフィードバックが同時のＰＵＳＣＨ送信と多重化される。
【００４６】
多対１マッピングの重要な観点は、衝突回避機構である。１つの既知の機構は、暗示的ＰＵＣＣＨリソース割り当てを変更する特定フィールドをグラントに含ませることである。別の選択肢は、ｅＰＤＣＣＨスケジューリングにより衝突を回避することであり、即ちｅＮＢは、ＵＥ間のＰＵＣＣＨリソース衝突を回避するようにｅＰＤＣＣＨに使用されるｅＣＣＥを選択する。これらの選択肢は、個別に使用されてもよいし又は一緒に使用されてもよいことに注意されたい。
【００４７】
後者の選択肢をサポートする多対１マッピングの一例を以下に説明する。
【００４８】
このマッピングは、次のような観察に基づく。ｅＮＢは、ｅＰＤＣＣＨが使用されるときにＤＬチャンネルのＣＳＩを有する。ｅＮＢは、ｅＰＤＣＣＨ送信のためのＰＲＢを選択するときにＦＤＰＳの限定フォームを使用する。従って、ｅＰＤＣＣＨ送信の場合に、あるＰＲＢへのｅＣＣＥマッピングが好ましいが、同じＰＲＢにおけるｅＣＣＥ間に信号クオリティ又は好みの差がない。
【００４９】
好ましいマッピングにおいて、第１に、同じＰＲＢにおけるｅＣＣＥ（１組のそのようなｅＣＣＥは、ｅＣＣＥグループと称される）は、異なるＰＵＣＣＨインデックスへとマップされ、即ちｅＣＣＥグループ内で１対１のマッピングが使用される。第２に、ｅＣＣＥ対ＰＵＣＣＨのマッピングは、２つのｅＣＣＥグループ間にせいぜい１つの共同（又は共有）ＰＵＣＣＨリソースを有する。
【００５０】
圧縮は、いかに多くのｅＣＣＥインデックスが同じＰＵＣＣＨインデックスへとマップされるか定義する放送又はＲＲＣシグナリングパラメータβでコントロールされる。
【００５１】
そのようなマッピングでは、ｅＮＢは、所与のｅＰＤＣＣＨに割り当てられるＰＲＢを変更する必要なく、所与のｅＰＤＣＣＨに使用されるｅＣＣＥを変更するだけで、衝突を（ほとんど）回避することができる。
【００５２】
ｅＣＣＥインデックスｉからＰＵＣＣＨインデックスへの１つの規範的なマッピングを以下に述べると共に、図４に示す。
2015530014.tif 000004
但し、
2015530014.tif 000005
2015530014.tif 000006
及び
2015530014.tif 000007
【００５３】
図４は、第１の実施形態によるｅＣＣＥインデックスとＰＵＣＣＨインデックスとの間の多対１マッピングの一例を、β＝２、Ｎ＝４、及び両インデックスの共通オフセットｋについて示している。
【００５４】
第２の実施形態
別の考えられる実施形態は、ＵＥ特有のｅＣＣＥインデクシングである。以下、本発明の第２の実施形態によるＵＥ特有のｅＣＣＥインデクシングについて説明する。
【００５５】
第２の実施形態において、基本的な原理は、第１の実施形態について上述したものと同じであるが、ｅＰＤＣＣＨ  ｅＣＣＥのシグナリングは、ＵＥ特有のレベルで行われる。
【００５６】
図５は、ＵＥ特有のｅＣＣＥインデクシングの原理を示す。
【００５７】
第２の実施形態による主たるステップは、次のように要約される。
【００５８】
ｅＮｏｄｅＢは、当該ＵＥに対してｅＰＤＣＣＨをどのＰＲＢが搬送するかに関する情報をｅＰＤＣＣＨケーパブルＵＥにシグナリングする。そのようなシグナリングは、種々の仕方で行うことができる。例えば、シグナリングは、ＲＲＣのような上位層を経て行うことができる。
【００５９】
更に、シグナリングは、考えられるｅＰＤＣＣＨ  ＰＲＢを示すビットマップを含む。
【００６０】
或いは又、シグナリングは、例えば、第１のｅＰＤＣＣＨ  ＰＲＢ又はＰＲＢのグループのインデックスと、次のｅＰＤＣＣＨ  ＰＲＢ又はＰＲＢのグループに対する相対的オフセットとを含む。
【００６１】
更に、シグナリングは、ＰＤＳＣＨ／ｅＰＤＣＣＨに対して定義された既存のリソース割り当てシグナリング機構の原理にも基づく（例えば、分散型割り当て）。
【００６２】
次いで、ＵＥは、第１の実施形態について既に述べたように、既定のルール及び／又は利用可能なシグナリングに従って割り当てられるＰＲＢ当たりのｅＣＣＥの数Ｎを決定する。
【００６３】
例えば、この数は、規格により定義され、例えば、図５に仮定されたように、４にセットされる。
【００６４】
或いは又、ｅＣＣＥ／ＰＲＢの数は、他の既知のパラメータ、例えば、サブフレームタイプ（ＤｗＰＴＳ、ＤＬサブフレーム、ある基準信号割り当てを伴うＤＬサブフレーム、ＰＣＦＩＣＨのための値を伴うＤＬサブフレーム）から導出することもできる。この数は、明確に構成される。又、ｅＣＣＥ／ＰＲＢの数は、局所型及び分散型割り当てに対して異なってもよい。おそらく、分散型割り当てでは、ＰＲＢにおけるｅＣＣＥの数は、大きなものとなる。
【００６５】
シグナリングされたあり得るｅＰＤＣＣＨ  ＰＲＢインデックス、割り当てられるＰＲＢ当たりのｅＣＣＥの数Ｎ、及びある所定の原理に基づいて、ＵＥは、それ自身のｅＣＣＥスペースをどのようにインデックスするか知っている。
【００６６】
例えば、インデクシングは、連続的であり、そしてインデクシングは、最低又は最高のＰＲＢインデックスをもつＰＲＢにおいてｅＣＣＥからスタートする。異なるＰＲＢにおけるｅＣＣＥのインデクシングは、異なる仕方で行われ、例えば、ｅＣＣＥ先行（図５に示すように）又はＰＲＢ先行で行われる。
【００６７】
更に、ｅＮｏｄｅＢは、第１のｅＰＤＣＣＨ  ｅＣＣＥのインデックスを示すＵＥ特有のオフセットパラメータもＵＥにシグナリングする。
【００６８】
図５において、これらのオフセットパラメータは、ＵＥ＃１、ＵＥ＃２、ＵＥ＃３に対して、各々、Ｉ、ｎ及びｍと示されている。
【００６９】
このパラメータは、ｅＰＤＣＣＨ及びＰＤＣＣＨを経て暗示的に割り当てられるＰＵＣＣＨリソース間の重畳をコントロールできるようにする。
【００７０】
第２の実施形態の態様によれば、ｅＮＢは、異なるＵＥのｅＣＣＥをパラメータ化し、異なるＵＥ間でｅＣＣＥ−ＰＲＢインデックスが整列されるようにする。これは、ＰＵＣＣＨリソース割り当てを簡単化する。又、ＵＥ特有のオフセットは、完全に又は部分的に重畳するｅＣＣＥインデックスにおいて複数のＵＥをマップできるので、効率的なＰＵＣＣＨリソース比較も与える。
【００７１】
ｅＰＤＣＣＨ  ｅＣＣＥインデックスは、ＰＵＣＣＨリソースインデックスへとマップされる。第１の実施形態で上述された同じマッピング方法を第２の実施形態に適用することができる。しかしながら、第２の実施形態では、１対１のマッピングが好ましいが、多対１のマッピングも適用できる。
【００７２】
同じｅＣＣＥインデクシングの原理を局所型及び分散型の両ｅＰＤＣＣＨで適用できるが、分散型ｅＰＤＣＣＨでは、図６に示すように、単一のｅＣＣＥが潜在的に複数のＰＲＢに及んでもよいことに注意されたい。ここでは、分散型送信は、互いに１０個分のＰＲＢ離れて位置された４つのＰＲＢにわたって行われる。
【００７３】
図６は、分散型ｅＰＤＣＣＨの場合のインデクシングの例を示す図である。
【００７４】
以下、図７を参照して、本発明を具現化する一般的な例を説明し、これは、上述した第１及び第２の両実施形態に適用できる。
【００７５】
図７は、本発明のある実施形態による装置の処理を示すフローチャートである。この例では、図７に示すステップは、ユーザ装置や、ネットワークのｅＮｏｄｅＢのようなベースステーションによって実行される。
【００７６】
本発明の一般的な例によれば、先ず、ステップＳ７１において、装置、即ちユーザ装置又はベースステーションは、データチャンネルに関連した構成可能な第１のコントロールチャンネルをダウンリンクにおいて搬送するチャンネルリソース要素の第１の区画化に関連した第１区画要素に関する情報を得、次いで、ステップＳ７２において、第１区画要素当たりのチャンネルリソース要素の第２の区画化に関連した第２区画要素の数を決定する。次いで、ステップＳ７３において、装置は、第１区画要素に関する情報及び決定された数に基づいて第２区画要素インデックスを少なくとも１つの第２の区画要素に対して決定し、そしてステップＳ７４において、チャンネルリソース要素の第３の区画化に関連した少なくとも１つの第３区画要素に対して第３区画要素インデックスを決定し、第２の区画化は、第１のコントロールチャンネルのチャンネルリソースの割り当てに関連し、そして第３の区画化は、第２のコントロールチャンネルのチャンネルリソースの割り当てに関連する。
【００７７】
更に、装置は、データチャンネルを経て送信されたデータパケットを受け取り、そしてデータパケットの受け取りが成功であったか不成功であったかに関して第２のコントロールチャンネルを経てアップリンク方向にフィードバック情報を与える。
【００７８】
第１の区画化は、データチャンネルのチャンネルリソースの割り当てに関連している。
【００７９】
第２区画要素インデックス及び第１区画要素に関する情報の少なくとも１つは、セルにおいて独特である。
【００８０】
第２区画要素インデックス及び第１区画要素に関する情報の少なくとも１つは、ユーザ装置ごとに独特である。
【００８１】
各々の第２区画要素インデックスは、１つ以上の第３区画要素インデックスへとマップされる。
【００８２】
更に、装置は、第２の区画要素の数を決定するが、これは、サブフレームタイプからその数を導出することを含む。
【００８３】
第２区画要素インデックスは、インデックスの連続セットを形成するよう決定される。
【００８４】
第２区画要素インデックスは、最低のインデックスをもつ第１の区画要素において第２の区画要素からスタートして決定される。
【００８５】
第２区画要素インデックスは、最高のインデックスをもつ第１の区画要素において第２の区画要素からスタートして決定される。
【００８６】
装置は、更に、少なくとも１つの第３区画要素インデックスを決定するが、これは、最低の第２区画要素インデックスからスタートして第２区画要素インデックスと第３区画要素インデックスとの間に１対１のマッピングを含む。
【００８７】
少なくとも１つの第３区画要素インデックスの決定は、第２区画要素インデックスと第３区画要素インデックスとの間に多対１のマッピングを含む。
【００８８】
更に、衝突回避メカニズムが設けられる。
【００８９】
衝突回避メカニズムは、暗示的アップリンクチャンネルリソース割り当てを変更する特定のフィールドを含ませることを含む。
【００９０】
衝突回避メカニズムは、第１のコントロールチャンネルに使用される少なくとも１つの第２区画要素を選択することを含む第１コントロールチャンネルスケジューリングを含む。
【００９１】
更に、多対１マッピングは、１つの第１区画要素に含まれた第２区画要素に対して第２区画要素インデックスと第３区画要素インデックスとの間に１対１マッピングを含む。
【００９２】
前記方法がユーザ装置により実行されるとき、第１の区画要素に関する情報を得ることは、ベースステーションから情報を受け取ることを含む。
【００９３】
ユーザ装置は、ベースステーションから第１の第２区画要素インデックスを指示するオフセットパラメータを受け取る。
【００９４】
情報は、システム情報に含まれ、そして放送を経て受け取られる。情報は、放送チャンネル又はエンハンスト放送チャンネルを経て受け取られる。情報は、マスター情報ブロック又はシステム情報ブロックに含まれる。情報は、専用の上位層無線リソースコントロールシグナリングを経て受け取られる。
【００９５】
更に、前記方法は、ベースステーションにより実行されるものであり、且つベースステーションからの第１の第２区画要素インデックスを指示するオフセットパラメータを定義し、そしてそのオフセットパラメータをユーザ装置へ送信することを含む。
【００９６】
以下、図８を参照して、本発明をＬＴＥネットワークにおいて具現化する特定例を説明し、これは、上述した第１及び第２の両実施形態に適用できる。
【００９７】
図８は、本発明のある実施形態によるＬＴＥネットワークの装置の特定の処理を示すフローチャートである。この例では、図８に示すステップは、ユーザ装置や、ＬＴＥネットワークのｅＮｏｄｅＢのようなベースステーションによって実行される。しかしながら、この特定例は、説明のためのものに過ぎず、本発明は、この特定例に限定されない。
【００９８】
本発明の特定例によれば、先ず、ステップＳ８１において、装置、即ちユーザ装置又はベースステーションは、どのリソースブロックがダウンリンクコントロールチャンネルを搬送するかに関する情報を得る。次いで、ステップＳ７２において、装置は、割り当てられるリソースブロック当たりのコントロールチャンネル要素の数を決定し、次いで、ステップＳ７３において、どのリソースブロックがダウンリンクコントロールチャンネルを搬送するかに関する情報、及び割り当てられるリソースブロック当たりのコントロールチャンネル要素の数に基づいて、少なくとも１つのコントロールチャンネル要素インデックスを決定する。更に、ステップＳ７４において、装置は、少なくとも１つのコントロールチャンネル要素インデックスに基づいて少なくとも１つのアップリンクコントロールチャンネルインデックスを決定する。
【００９９】
図９は、本発明のある実施形態による装置の一例を示すブロック図である。
【０１００】
図９に示すように、本発明の一実施形態によれば、装置９０、即ちユーザ装置又はベースステーションは、受信器／送信器９１、メモリ９２及びプロセッサ９３を備えている。受信器／送信器９１は、ネットワーク内の少なくとも別の装置と通信しそして信号を送信及び受信するように構成され、メモリ９２は、コンピュータプログラムコードを記憶するように構成され、そしてプロセッサ９３は、データチャンネルに関連した構成可能な第１のコントロールチャンネルをダウンリンクにおいて搬送するチャンネルリソース要素の第１の区画化に関連した第１区画要素に関する情報を得、第１区画要素当たりのチャンネルリソース要素の第２の区画化に関連した第２区画要素の数を決定し、第１区画要素に関する情報及び決定された数に基づいて第２区画要素インデックスを少なくとも１つの第２の区画要素に対して決定し、チャンネルリソース要素の第３の区画化に関連した少なくとも１つの第３区画要素に対して第３区画要素インデックスを決定する、ように装置に遂行させるよう構成され、第２の区画化は、第１のコントロールチャンネルのチャンネルリソースの割り当てに関連し、そして第３の区画化は、第２のコントロールチャンネルのチャンネルリソースの割り当てに関連したものである。
【０１０１】
既に述べたように、第１の実施形態及び第２の実施形態による前記２つのシグナリング機構は、相互に排他的であるが、所与のセル／ＴＰに共存してもよい。即ち、第１の実施形態及び第２の実施形態、或いは第１の実施形態の幾つかの観点及び第２の実施形態の幾つかの観点を組み合わせることができる。
【０１０２】
そのような考えられる組み合わせによれば、例えば、共通のサーチスペースに属するｅＣＣＥ及び／又は分散型リソース割り当てを有するｅＣＣＥは、セル特有の仕方で指定され、そしてＵＥ特有のサーチスペースに属し及び／又は局所型リソース割り当てを有するｅＣＣＥは、ＵＥ特有の仕方で指定される。もちろん、他の組み合わせも考えられる。
【０１０３】
本発明のある実施形態による前記インデクシング機構は、ＵＬ及びＤＬシグナリングの観点から効率的で且つ簡単な解決策である。
【０１０４】
ここに提案する多対１マッピングは、ｅＰＤＣＣＨ性能を低下せずに、効率的なｅＰＤＣＣＨスケジューリングに基づく衝突回避をサポートする。
【０１０５】
第１の実施形態によるＵＥ特有の解決策は、受信したＰＤＳＣＨに対する応答としてＰＵＣＣＨを経て送信されるＨＡＲＱ−ＡＣＫに対して予約されるＰＵＣＣＨリソーススペースを比較的迅速にスケールアップ及びダウンできる動的な動作をサポートする。従って、ＵＥ特有の解決策は、ＰＵＣＣＨリソーススペースの迅速な動的適応を与える。
【０１０６】
装置、即ちユーザ装置又はベースステーションの以上の規範的説明では、本発明の原理を理解する上で関係のあるユニットだけを、機能ブロックを使用して説明した。装置は、各動作に必要な更に別のユニットを備えている。しかしながら、それらのユニットの説明は、ここでは省略する。装置の機能ブロックの配置は、本発明を限定するものではなく、そしてそれらの機能は、１つのブロックで遂行されてもよいし又はサブブロックへと更に分割されてもよい。
【０１０７】
以上の説明において、装置、即ちユーザ装置又はベースステーション（又は他の何らかの手段）がある機能を遂行するよう構成されたと述べられたときには、これは、各装置のメモリに記憶されたコンピュータプログラムコードと潜在的に協働する（少なくとも１つの）プロセッサ又は対応する回路が少なくとも上述した機能を装置に遂行させるよう構成されると述べる記載と同等であると解釈される。又、そのような機能は、各機能を遂行するための特別に構成された回路又は手段によって同等に実施できると解釈される（即ち、「・・・のように構成されたユニット」という表現は、「・・・のための手段」のような表現と同等であると解釈される）。
【０１０８】
上述した本発明の説明上、次のことに注意されたい。
−おそらくソフトウェアコード部分として実施され且つ装置（例えば、デバイス、装置及び／又はそのモジュール、或いは例えば、装置及び／又はそのモジュールを含むエンティティ）のプロセッサを使用して実行される方法ステップは、ソフトウェアコード独立であり、且つ方法ステップにより定義される機能が保存される限り、既知の又は将来開発されるプログラミング言語を使用して指定することができ；
−一般的に、方法ステップは、実施形態のアイデアを変更せず且つ実施される機能に関して変更なく、ソフトウェアとして又はハードウェアにより実施するのに適しており；
−上述した装置又はそのモジュール（例えば、上述した実施形態により装置の機能を実施するデバイス）のハードウェアコンポーネントとしておそらく実施される方法ステップ及び／又はデバイス、ユニット又は手段は、ハードウェア独立であり、且つ既知の又は将来開発されるハードウェア技術又はそれらの混成、例えば、ＭＯＳ（金属酸化物半導体）、ＣＭＯＳ（相補的ＭＯＳ）、ＢｉＭＯＳ（バイポーラＭＯＳ）、ＢｉＣＭＯＳ（バイポーラＣＭＯＳ）、ＥＣＬ（エミッタ結合ロジック）、ＴＴＬ（トランジスタ・トランジスタロジック）、等を使用し、例えば、ＡＳＩＣ（特定用途向けＩＣ（集積回路））コンポーネント、ＦＰＧＡ（フィールドプログラマブルゲートアレイ）コンポーネント、ＣＰＬＤ（コンプレックスプログラマブルロジックデバイス）コンポーネント、又はＤＳＰ（デジタル信号プロセッサ）コンポーネントを使用して、実施することができ；
−デバイス、ユニット又は手段（例えば、上述した装置、又はそれらの各ユニット／手段の１つ）は、個々のデバイス、ユニット又は手段として実施できるが、これは、装置、ユニット又は手段の機能が保存される限り、それらがシステム全体にわたって分散形態で実施されることを除外するものではなく；
−装置は、半導体チップ、チップセット、或いはそのようなチップ又はチップセットを含む（ハードウェア）モジュールによって表わされるが、これは、装置又はモジュールの機能が、ハードウェア実施されるのではなく、（ソフトウェア）モジュールのソフトウェア、例えば、プロセッサ上で実行／ランされる実行可能なソフトウェアコード部分を含むコンピュータプログラム又はコンピュータプログラム製品として実施される可能性を除外するものではなく；
−デバイスは、互いに機能的に協働するか、或いは互いに機能的に独立であるが、例えば、同じデバイスハウジング内にあるかに関わらず、装置として、或いは２つ以上の装置のアッセンブリとしてみなされる。
【０１０９】
一般的に、上述した観点による各機能的ブロック又は要素は、各部分の前記機能を遂行するだけである場合には、ハードウェア及び／又はソフトウェアのいずれの既知の手段でも実施できることに注意されたい。上述した方法ステップは、個々の機能的ブロックにおいて又は個々のデバイスにより実現することもでき、或いは１つ以上の方法ステップは、単一の機能的ブロックにおいて又は単一のデバイスにより実現することもできる。
【０１１０】
一般的に、方法ステップは、本発明のアイデアを変更せずに、ソフトウェアとして又はハードウェアにより実施するのが適当である。デバイス及び手段は、個々のデバイスとして実施されるが、これは、装置の機能が保存される限り、それらがシステム全体を通して分散形態で実施されることを除外するものではない。そのような原理及び同様の原理は、当業者にとって既知であるとみなすべきである。
【０１１１】
ここでの説明という意味で、ソフトウェアは、各機能を遂行するためのコード手段又は部分或いはコンピュータプログラム又はコンピュータプログラム製品を含むソフトウェアコードと、各データ構造又はコード手段／部分を記憶しているコンピュータ読み取り可能な（ストレージ）媒体のような有形の媒体において実施されるか、又は潜在的に処理中に信号又はチップにおいて実施されるソフトウェア（又はコンピュータプログラム又はコンピュータプログラム製品）と、を含む。
【０１１２】
以上に述べた実施形態、並びに一般的及び特定の例は、単なる例示に過ぎず、本発明をそれに限定するものではないことに注意されたい。むしろ、特許請求の範囲内に入る全ての変更や修正が網羅されることが意図される。
【０１１３】
略語
３ＧＰＰ：第３世代パートナーシッププロジェクト
Ａ／Ｎ、ＡＣＫ／ＮＡＣＫ：確認／否定確認
ＡＲＩ：ＡＣＫ／ＮＡＣＫリソースインデックス
ＣＣＥ：コントロールチャンネル要素
ＣＤＭ：コード分割多重化
ＣｏＭＰ：整合マルチポイント
ＣＳＩ：チャンネル状態情報
ＤＬ：ダウンリンク
ＤｗＰＴＳ：ダウンリンクパイロットタイムスロット
ｅＣＣＥ：エンハンストコントロールチャンネル要素
ｅＮＢ：ＬＴＥベースステーション、進化型ノードＢ
ｅＰＤＣＣＨ：エンハンストＰＤＣＣＨ
ＦＤＰＳ：周波数ドメインパケットスケジューリング
ＨＡＲＱ：ハイブリッド自動リピート要求
ＬＴＥ：長期進化
ＭＩＢ：マスター情報ブロック
ＰＣＦＩＣＨ：物理的コントロールフォーマットインジケータチャンネル
ＰＤＣＣＨ：物理的ダウンリンクコントロールチャンネル
ＰＤＳＣＨ：物理的ダウンリンク共有チャンネル
ＰＲＢ：物理的リソースブロック
ＰＵＣＣＨ：物理的アップリングコントロールチャンネル
ＲＲＣ：無線リソースコントロール
ＳＩＢ：システム情報ブロック
ＵＥ：ユーザ装置
ＵＬ：アップリンク
ＴＰ：送信ポイント
【符号の説明】
【０１１４】
９０：装置
９１：受信器／送信器
９２：メモリ
９３：プロセッサ
【図７】
2015530014.tif 000008
【図８】
2015530014.tif 000009
【図９】
2015530014.tif 000010
【図１】
2015530014.tif 000011
【図２】
2015530014.tif 000012
【図３】
2015530014.tif 000013
【図４】
2015530014.tif 000014
【図５】
2015530014.tif 000015
【図６】
2015530014.tif 000016
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
データチャンネルに関連した構成可能な第１のコントロールチャンネルをダウンリンクにおいて搬送するチャンネルリソース要素の第１の区画化に関する第１区画要素についての情報を得；
第１区画要素当たりのチャンネルリソース要素の第２の区画化に関する第２区画要素の数を決定し；
前記第１区画要素に関する情報及び前記決定された数に基づいて第２区画要素インデックスを少なくとも１つの第２区画要素に対して決定し；
第３区画要素インデックスに関連して、チャンネルリソース要素の第３の区画化に関する少なくとも１つの第３区画要素を決定する；
ことを含み、前記第２の区画化は、前記第１のコントロールチャンネルのチャンネルリソースの割り当てに関するものであり、そして
前記第３の区画化は、第２のコントロールチャンネルのチャンネルリソースの割り当てに関するものである、方法。
【請求項２】
前記データチャンネルにチャンネルリソースを割り当てるためのコントロール情報を前記第１のコントロールチャンネルを経て受け取り；
前記データチャンネルを経て送信されたデータパケットを受け取り；及び
前記データパケットの受け取りが成功であったか不成功であったかに関して前記第２のコントロールチャンネルを経てアップリンク方向にフィードバック情報を与える；
ことを更に含み、
前記フィードバック情報は、少なくとも１つの第３区画要素に与えられ、そして
前記第２区画要素インデックスは、前記第３区画要素インデックスを決定するのに使用される、請求項１に記載の方法。
【請求項３】
前記第１の区画化は、データチャンネルのチャンネルリソースの割り当てに関連される、請求項１又は２に記載の方法。
【請求項４】
前記第２区画要素インデックス及び第１区画要素に関する情報の少なくとも１つは、セルにおいて独特である、請求項１に記載の方法。
【請求項５】
前記第２区画要素インデックス及び第１区画要素に関する情報の少なくとも１つは、ユーザ装置ごとに独特である、請求項１に記載の方法。
【請求項６】
各々の第２区画要素インデックスは、１つ以上の第３区画要素インデックスへマップされる、請求項１に記載の方法。
【請求項７】
前記第２の区画要素の数の前記決定は、サブフレームタイプからその数を導出することを含む、請求項１に記載の方法。
【請求項８】
前記第２区画要素インデックスは、インデックスの連続セットを形成するように決定される、請求項１に記載の方法。
【請求項９】
前記第２区画要素インデックスは、最低のインデックスをもつ第１の区画要素において第２の区画要素からスタートして決定される、請求項１に記載の方法。
【請求項１０】
前記第２区画要素インデックスは、最高のインデックスをもつ第１の区画要素において第２の区画要素からスタートして決定される、請求項１に記載の方法。
【請求項１１】
少なくとも１つの第３区画要素インデックスの前記決定は、最低の第２区画要素インデックスからスタートして第２区画要素インデックスと第３区画要素インデックスとの間に１対１のマッピングを含む、請求項１に記載の方法。
【請求項１２】
少なくとも１つの第３区画要素インデックスの前記決定は、前記第２区画要素インデックスと第３区画要素インデックスとの間に多対１のマッピングを含む、請求項１に記載の方法。
【請求項１３】
衝突回避メカニズムを更に備え、該衝突回避メカニズムは、暗示的アップリンクチャンネルリソース割り当てを変更する特定のフィールドを含ませることを含む、請求項１に記載の方法。
【請求項１４】
前記衝突回避メカニズムは、第１のコントロールチャンネルに使用される少なくとも１つの第２区画要素を選択することを含む第１コントロールチャンネルスケジューリングを含む、請求項１に記載の方法。
【請求項１５】
前記多対１マッピングは、１つの第１区画要素に含まれた第２区画要素に対して第２区画要素インデックスと第３区画要素インデックスとの間に１対１マッピングを含む、請求項１２に記載の方法。
【請求項１６】
前記方法は、ユーザ装置により実行され、前記第１の区画要素に関する情報を得ることは、ベースステーションから情報を受け取ることを含む、請求項１に記載の方法。
【請求項１７】
ベースステーションから第１の第２区画要素インデックスを指示するオフセットパラメータを受け取ることを更に含む、請求項１６に記載の方法。
【請求項１８】
少なくとも別の装置と通信するように構成された受信器／送信器と；
コンピュータプログラムコードを記憶するように構成されたメモリと；
プロセッサであって、
データチャンネルに関連した構成可能な第１コントロールチャンネルをダウンリンクにおいて搬送するチャンネルリソース要素の第１の区画化に関する第１区画要素についての情報を得；
第１区画要素当たりのチャンネルリソース要素の第２の区画化に関する第２区画要素の数を決定し；
前記第１区画要素に関する情報及び前記決定された数に基づいて第２区画要素インデックスを少なくとも１つの第２区画要素に対して決定し；
第３区画要素インデックスに関連して、チャンネルリソース要素の第３の区画化に関する少なくとも１つの第３区画要素を決定する；
ことを装置に遂行させるように構成されたプロセッサと；
を備え、前記第２の区画化は、第１のコントロールチャンネルのチャンネルリソースの割り当てに関するものであり、そして
前記第３の区画化は、第２のコントロールチャンネルのチャンネルリソースの割り当てに関するものである、装置。
【請求項１９】
処理装置のためのプログラムを含み、そのプログラムが処理装置において実行されるときに請求項１に記載のステップを遂行するソフトウェアコード部分を備えたコンピュータプログラム製品。
【国際調査報告】
2015530014.tif 000017
2015530014.tif 000018
2015530014.tif 000019